(57)【特許請求の範囲】
【請求項１】
液体の霧を発生させ、見せかけの標的またはカムフラージュを生じさせる方法であって、液体が、放水銃（１）によって高速度で打ち上げられ、打ち上げ当初、前記液体は、液体パッケージ（２）の形態に集結せしめられているが、一定距離に達した後、空気抵抗によって多数の微小な液滴に分解され、液体の霧（３）を形成するようにしたことを特徴とする方法。
【請求項２】
いくつかの前記液体パッケージ（２）が連続的に打ち上げられ、それによって、前記液体の霧（３）が長時間にわたって維持されることを特徴とする請求項１に記載の方法。
【請求項３】
前記液体の霧の赤外線吸収性に影響を及ぼす物質が、打ち上げ前の前記液体に付加されることを特徴とする請求項１または請求項２に記載の方法。
【請求項４】
前記液体の凝集性に影響を及ぼす物質が、打ち上げ前の前記液体に付加されることを特徴とする請求項１〜請求項３のいずれかに記載の方法。
【発明の詳細な説明】
本発明は、液体の霧を発生させ、見せかけの標的またはカムフラージュを生じさせる方法に関するものである。
液体の霧、例えば、水霧の形態の霧を、物体をカムフラージュするため、または見せかけの標的を生じさせるために用いることがすでに知られている。物体が水霧によって覆われている場合には、赤外線測定による検出はより困難となる。霧の発生のために用いられる水の温度を調整することによって、たとえば、赤外線標的追跡装置に対して効果的な見せかけの標的とせしめるような温度を有する霧を発生させることが可能である。
特許文献ＥＰ０２２１４６９Ｂは、液体の霧を発生させることによって、見せかけの標的およびカムフラージュを生じさせるための装置の１例を記載している。この装置によれば、霧は、噴霧ノズルを備えた放水装置によって発生せしめられる。液体が、ノズルを通じて微小な水滴状に放出される。
噴霧ノズルによって液体の霧を発生させる従来の技術は、いくつかの欠点を有している。完全に被覆する霧を発生させるのに比較的長時間を要し、それ故、自動誘導ミサイルからの攻撃を受ける場合に、長い警戒時間が必要とされる。さらに、水の消費量が極めて多くなる。寒冷な気候においては、ノズルが氷によって塞がれ、防護される装置もまた、氷によって覆われるという危険が存在する。
本発明の目的は、液体の霧を発生させ、カムフラージュまたは見せかけの標的を生じさせる新たな技術を提供することによって、従来技術に伴う問題を克服することにある。
本発明によれば、液体の霧は、放水銃によって水を高速度で打ち上げて、水が、最初は液体パッケージ状に集結せしめられるが、一定距離に達した後、空気抵抗の影響の下に、多数の微小な液滴に分解し、霧をなるようにすることによって発生せしめられる。
この新たな技術によれば、その開始時点と液体の霧が完全に展開された時点との間の時間遅延は、より短かくなる。水の消費量は少なく、それ故、この技術はまた、地上を動く装置に使用するのにも適している。防護される装置から一定距離離れた地点で霧が形成され、かつ打ち上げ装置が如何なる噴霧ノズルも有していないとき、氷の形成に伴う問題は、従来技術の場合よりも生じにくくなる。さらには、打ち上げられた液体パッケージは、風の影響を相対的に受けにくく、それ故、空間中の予め決定された位置に霧を容易に形成することができる。
以下において、本発明の１例が、添付図面を参照してさらに詳しく説明される。
図１は、放水銃から打ち上げられた液体パッケージを示した図である。
図２は、分解され、霧を形成する液体パッケージを示した図である。
図３〜図７は、本発明による霧を発生させるために使用され得る公知の放水銃の側断面図である。
本発明による霧の発生において、放水銃１が一定量の液体、例えば、水を打ち上げるために用いられる。水が、十分高速度で打ち上げられる場合には、図１に示されるように、空気中を進む一体的な水パッケージ２が形成される。空気抵抗の影響の下に、この水パッケージ２は、やがて多数の微小な水滴に分解され、霧を形成する。そのとき、図２に示されるように、水霧３が形成される。打ち上げ速度を変化させることによって、水パッケージ２が分解される前に、どれだけの距離進むのかを制御することができる。また、異なる付加物によって水の凝集性に影響を与え、それによってまた、水パッケージがどれだけの距離進むのかを制御することができる。
問題の方法による霧の発生を実行するために用いられ得る放水銃１は、スウェーデン国特許出願ＳＥ８０００６３２−３Ａに記載されている。
図３〜図７には、この放水銃の１実施例が示されている。放水銃１は、その後端が後部ヘッド５によって閉じられたシリンダ４を有している。駆動ピストン６は、シリンダ４内に往復運動可能に配置され、後部ヘッド５とともに後部シリンダチャンバ７を閉じ込める。前部ヘッド８は、シリンダの前端内部に取り付けられている。駆動ピストン６および前部ヘッド８は、前部シリンダチャンバ９を閉じ込める。出口管１０は、前部ヘッド８内に挿入されたブッシング１１内に変位可能に案内されている。管１０の運動は、後部拡張部分１２および前部制止リング１３によって制限される。駆動ピストン６は、その前端に、階段状に形成されたリング状の凹部１４、１５を備えている。この凹部は、内側リング状チャンバ１４および外側リング状チャンバ１５を有し、外側チャンバ１５は、内側チャンバ１４の外径よりも大きな外径を有している。凹部１４、１５は、中央ピン１６を取り囲んでいる。後部管部分１７および拡張部分１２は、凹部１４、１５内に押し込められ得る。液体が、導管１８を通じて前部シリンダチャンバ９に供給される。導管１８は、ホースを通じて液体用高圧ポンプに接続されている。前部シリンダチャンバ９は、リング状チャンバ１９を備えている。リング状チャンバ１９は、拡張部分１２に対する制止チャンバとして機能し、それによって、出口管１０は、その前進運動の終了時点で、水力学的に制止せしめられる。後部シリンダチャンバ７は圧縮ガスを充填される。圧縮ガスが駆動ピストン６に作用し、駆動ピストン６は、前部シリンダチャンバ９内の液体に対しスラスト荷重を及ぼす。
放水銃１は、次のように作動する。ポンプが始動せしめられ、そして、液体が導管１８に供給される。液体の圧力が、拡張部分１２においてリング状の面２０に作用する。出口管１０および駆動ピストン６は、その後、後部シリンダチャンバ７内のガス圧の作用に抗して、後方に動かされる。短い距離の変位の後、液体圧力がまた駆動ピストン６に直接作用する。駆動ピストン６は、出口管１０とともに後方に押され、後部シリンダチャンバ７内のガスを圧縮する。図４に示されるように、制止リング１３が、前部ヘッド８によって制止せしめられるとき、管１０は、継続する後方への運動を阻止され、駆動ピストン６だけがさらに後方に運動せしめられる。拡張部分１２が外側チャンバ１５から離れるとき、液体がこのチャンバ内に流入する。その後すぐに、出口管の後端部１７は、図５に示されるように、内側チャンバ１４から離れ、そして、液体がこのチャンバ内に流入する。液体が内側チャンバ１４内に導かれるとき、出口１０は前方へ動かされる。出口管１０は、短い距離だけ動かされた後、図６に示されるように、ピン１６が管の孔から離れる。出口管１０は、急激に前方へ動かされ、拡張部分１２が制止チャンバ１９に達したときに制止される。液体は、前部シリンダチャンバ９内の液体に作用するスラスト荷重によって出口管１０を通じて外側に押し出される。出口管１０内において、液体は、一体的な１つの塊となって加速され、数百メートル／秒の速度で空気中に打ち上げられる細長い液体パッケージ２を形成する。
放水銃の構成および機能に関する詳細については、ＳＥ８０００６３２−３Ａを参照されたい。
上述の実施例に基づく放水銃は、すでにアトラス  コフコ社によって「ＣＲＡＣ  ２００」の名称で製造されている。この放水銃によって空気中に射撃を行うとき、水パッケージが得られ、この水パッケージは、当初細長い塊として集結しているが、数十メートルの距離に達した後、分解し、霧状になるということがわかる。この放水銃は、約８秒の間隔で水パッケージを打ち上げることができる。非常に短い間隔で、連続的に水パッケージを打ち上げることによって、霧は、長時間にわたって維持され、そして、より大きな面積が被覆され得る。
水パッケージを十分高い速度で打ち上げることができる別のタイプの放水銃がまた、本発明による霧を発生させるために使用可能である。水に加えて、別の液体がまた使用可能である。液体は、霧の赤外線吸収性に影響を与える付加的な物質、例えば、霧状の水溶性物質または塩のような可溶性の物質を含むことができる。
問題の方法による霧を発生させるために使用されることを意図された放水銃は、例えば、高射砲と同様の砲架上に取り付けることができ、そのとき、利用可能な標的を狙う装置が使用され得る。また、この放水銃は、一定時間続けて誘導されるミサイルに対する防護のための戦闘車輛または船舶上に取り付けられ得る。
【図１】
0004031056.tif 000002
【図２】
0004031056.tif 000003
【図３】
0004031056.tif 000004
【図４】
0004031056.tif 000005
【図５】
0004031056.tif 000006
【図６】
0004031056.tif 000007
【図７】
0004031056.tif 000008